(57)【要約】【課題】設計や製造に手間やコストがからない、省スペースでコンパクトなカメラ内蔵ストロボ装置を提供する。【解決手段】前カバーと、カメラボディと、カメラボディ内に固定され、前面が開放された前面開放部を有する直方体状の外側筐体と、外側筐体内に保持され、前面が開放された前面開放部を有する直方体状の中間筐体と、中間筐体内に保持され、中間筐体の前面開放部と外側筐体の前面開放部からストロボ光を発するリフレクタ及び発光管と、中間筐体と外側筐体との間に位置し、弾性変形可能な弾性部材と、前カバーにより保持されるフレネルレンズとからなり、フレネルレンズを中間筐体と係合させることにより組み立てられる。【選択図】  図１
2004240197.tif 000002
【特許請求の範囲】
【請求項１】
前カバーと、
カメラボディと、
前記カメラボディ内に固定され、前面が開放された前面開放部を有する直方体状の外側筐体と、
前記外側筐体内に保持され、前面が開放された前面開放部を有する直方体状の中間筐体と、
前記中間筐体内に保持され、前記中間筐体の前面開放部と前記外側筐体の前面開放部からストロボ光を発するリフレクタ及び発光管と、
前記中間筐体と前記外側筐体との間に位置し、弾性変形可能な弾性部材と、
前記前カバーにより保持されるフレネルレンズとからなり、
前記フレネルレンズを前記中間筐体と係合させることにより組み立てられることを特徴とするカメラ内蔵ストロボ装置。
【請求項２】
請求項１記載のカメラ内蔵ストロボ装置において、前記中間筐体は、合成樹脂材料の成形品からなっていて、その各面の外面に、前記外側筐体の各対向内面に弾性接触し前記中間筐体を前記外側筐体の中心部に向けて移動付勢する樹脂ばねを有しているカメラ内蔵ストロボ装置。
【請求項３】
請求項１記載のカメラ内蔵ストロボ装置において、前記樹脂ばねは、中間筐体の各面の外面にそれぞれ対称に一対が備えられているカメラ内蔵ストロボ装置。
【請求項４】
請求項１または請求項３記載のカメラ内蔵ストロボ装置において、前記フレネルレンズは、合成樹脂材料からなっていて、前記中間筐体側の面に複数のボスを有し、前記中間筐体の前端面に前記複数のボスを嵌合させる複数のボス穴部が形成されているカメラ内蔵ストロボ装置。
【請求項５】
請求項４記載のカメラ内蔵ストロボ装置において、前記フレネルレンズは、前記カメラボディの前面カバーに形成された穴部に嵌まる位置決め突起を備えているカメラ内蔵ストロボ装置。
【発明の詳細な説明】
【０００１】
【技術分野】
本発明はカメラ内蔵ストロボ装置に関し、とくにカメラ内蔵ストロボ装置の位置決め機構に関する。
【０００２】
【従来技術及びその問題点】
ストロボ装置は、フレネルレンズ、前カバー部、ストロボ発光部、外側筐体などから構成されており、その製造は、フレネルレンズ、前カバー部、ストロボ発光部などを個別に製造した後に、これらを外側筐体に組み込むことにより行っている。
【０００３】
しかし、従来のストロボ装置においては、フレネルレンズと、前カバー部及びストロボ発光部とは、本体部内の別の部材に組み込むこととなっていたため、フレネルレンズ、前カバー部及びストロボ発光部、外側筐体それぞれの設計や製造においては、フレネルレンズと、前カバー部及びストロボ発光部との位置ずれを見込んで余裕を持って設計、製造をしなければならなかった。このため、設計や製造に手間やコストがかかり、ストロボ装置が大きなものにならざるを得なかった。
【０００４】
【発明の目的】
そこで本発明の目的は、設計や製造に手間やコストがからない、省スペースでコンパクトなカメラ内蔵ストロボ装置を提供することにある。
【０００５】
【発明の概要】
上記問題点を解決するために、本発明のストロボ装置は、前カバーと、カメラボディと、カメラボディ内に固定され、前面が開放された前面開放部を有する直方体状の外側筐体と、外側筐体内に保持され、前面が開放された前面開放部を有する直方体状の中間筐体と、中間筐体内に保持され、中間筐体の前面開放部と外側筐体の前面開放部からストロボ光を発するリフレクタ及び発光管と、中間筐体と外側筐体との間に位置し、弾性変形可能な弾性部材と、前カバーにより保持されるフレネルレンズとからなり、フレネルレンズを中間筐体と係合させることにより組み立てられることを特徴としている。
【０００６】
中間筐体は、合成樹脂材料の成形品からなっていて、その各面の外面に、外側筐体の各対向内面に弾性接触し中間筐体を外側筐体の中心部に向けて移動付勢する樹脂ばねを有していることが好ましい。
【０００７】
樹脂ばねは中間筐体の各面の外面にそれぞれ対称に一対が備えられていることが好ましい。
【０００８】
フレネルレンズは、合成樹脂材料からなっていて、中間筐体側または外側筐体の面に複数のボスを有し、中間筐体または外側筐体の前端面に複数のボスを嵌合させる複数のボス穴部が形成されていることが好ましい。
【０００９】
フレネルレンズは、カメラボディの前面カバーに形成された穴部に嵌まる位置決め突起を備えていることが好ましい。
【００１０】
【発明の実施形態】
以下、本発明にかかる実施形態を図１及び図２を参照しつつ詳しく説明する。
本実施形態にかかるストロボ装置１は、外側筐体１０、中間筐体２０、リフレクタ３１、発光管３２、フレネルレンズ４０、カメラボディの前カバー５０を基本的な構成要素としており、リフレクタ３１と発光管３２を受容した中間筐体２０を内部に組み込んだ外側筐体１０と、フレネルレンズ４０及び前カバー５０とを組み合わせることによって形成される。なお、カメラ本体についての説明は省略する。
【００１１】
外側筐体１０は、左右側面１１、１２、上下面１３、１４、背面（底面）１５を有する直方体形状であって、前面が開放されている（前面開放部１６）。背面１５には内方に突出するストッパーボス１７が設けられている。ストッパーボス１７は、ストロボ装置１の組み立て時に中間筐体２０を外側筐体１０に押し込みすぎることによって中間筐体２０の背面に設けられた樹脂ばね２５ａ、２５ｂ、２５ｃ、及び２５ｄを折ってしまうことを防止するために設けられている。
【００１２】
中間筐体２０は、左右側面２１、２２、上下面２３、２４、背面（底面）２５を有する直方体形状であって、前面が開放されている（前面開放部２６）。中間筐体２０の左右側面２１、２２、上下面２３、２４、背面２５の各外面と外側筐体１０の左右側面１１、１２、上下面１３、１４、背面１５の各内面とは対向（対応）している
【００１３】
中間筐体２０の左右側面２１、２２、上下面２３、２４の外面には、それぞれ、各一対の板状の樹脂ばね２１ａ及び２１ｂ、２２ａ及び２２ｂ、２３ａ及び２３ｂ、並びに２４ａ及び２４ｂが一体に成形されている。一対の樹脂ばねは、それぞれが設けられている各面の中心に関し対称の位置に設けられている。
【００１４】
それぞれの樹脂ばねは、その自由端部が中間筐体２０の外方に延在している。
このように樹脂ばねが中間筐体の各面にバランスよく成形されているため、中間筐体２０を外側筐体１０内に入れると、それぞれの樹脂ばねは弾性変形して外側筐体に弾性接触することによって、中間筐体２０は外側筐体１０の中心部に向けて移動付勢される。このような構成により、外側筐体１０に挿入するだけで、中間筐体２０を外側筐体の中心部に位置させることができる。
【００１５】
中間筐体２０の背面２５の外面には、２対の樹脂ばね２５ａ及び２５ｂ、並びに２５ｃ及び２５ｄが、それぞれ背面２５の中心に対して対称の位置に一体に成形されている。それぞれの樹脂ばねは自由端部が中間筐体２０の外方に延在しているため、中間筐体２０を外側筐体１０内に入れると、それぞれの樹脂ばねが弾性変形して中間筐体２０を外側筐体１０の前面開放部１６側へ付勢する。
【００１６】
外側筐体１０の上下面１３、１４の内面には、樹脂ばね２３ａ、２３ｂ、２４ａ、２４ｂに対応する位置に抜け止めボス（オーバーハング部）１３ａ、１３ｂ、１４ａ、１４ｂが一体に成形されており、それぞれ上下面１３、１４の内面に対して垂直に設けられた一端から外側筐体１０の前面開放部１６に向かって徐々に開くような形状となっている。このような構成により、樹脂ばね２３ａ、２３ｂ、２４ａ、２４ｂの動きがそれぞれに対応する抜け止めボス１３ａ、１３ｂ、１４ａ、１４ｂにより規制されるため、中間筐体２０は外側筐体１０内において前後方向の移動が規制される。このため、中間筐体２０が外側筐体１０から抜け落ちることを防止することができる。
【００１７】
外側筐体１０の背面１５には、樹脂ばね２３ａ、２３ｂ、２４ａ、２４ｂに対応する位置に、変形治具挿入穴１５ａが４箇所設けられている。外側筐体１０に挿入された中間筐体２０を取り出すときには、この変形治具挿入穴１５ａから外側筐体１０内に治具を挿入して樹脂ばね２３ａ、２３ｂ、２４ａ、２４ｂを変形させることによって、抜け止めボス１３ａ、１３ｂ、１４ａ、１４ｂとの係合を解除することができる。
【００１８】
中間筐体２０内にはリフレクタ３１と発光管３２が配置されている。リフレクタ３１は中間筐体２０に挿入する前は自由状態で開いてるが、若干弾性変形させて中間筐体２０内に挿入することによりその形状が安定する。中間筐体２０の左右側面２１、２２には、発光管３２を挿入するための切り欠き部２８ａ、２８ｂが設けられており、切り欠き部２８ａ、２８ｂから挿入された発光管３２の両端部はリフレクタ３１の両端部によって支持される。発光管３２からの直接光、及びリフレクタ３１からの反射光は前面開放部１６、２６から外部に出る。
【００１９】
前面開放部１６に配置される合成樹脂製フレネルレンズ４０は、裏面に一対の円柱形のボス４１、表面に発光エリアに対応した位置決め突起４２を有している。ボス４１は、フレネルレンズ４０の中心に対称に上下に１箇所ずつ設けられている。一方、中間筐体２０の上下面２３、２４の前端中央には、ボス４１に対応する位置に、一対のボス４１を受け入れるための一対の円筒形のボス穴部２７が一体に成形されている。一対のボス４１を一対のボス穴部２７のそれぞれに挿入することにより、フレネルレンズ４０は中間筐体２０に対して位置決めされる。
【００２０】
カメラの前カバー５０には、フレネルレンズ４０の位置決め突起４２を嵌めるための穴部５１が設けられている。中間筐体２０とボス係合によって一体となったフレネルレンズ４０を前カバー５０に当接させると、前カバー５０を基準として中間筐体２０、リフレクタ３１、発光管３２の位置が決まる。なお、外側筐体１０の固定態様は問わない。
【００２１】
以下に本実施形態の変形例を示す。
本実施形態においては中間筐体２０の外面上の１２箇所に樹脂バネを配置したが、樹脂バネの数はもっと少なくても、多くてもよい。例えば、中間筐体２０の左右側面２１、２２、上下面２３、２４、背面２５それぞれ１つずつの樹脂バネを配置する構成であってもよい。
【００２２】
ボス４１を受け入れるボス穴部２７は、上下面２３、２４ではなく、中間筐体２０の左右側面２１、２２に設けてもよい。また、中間筐体２０ではなく外側筐体１０に設けてもよい。なお、ボス４１はボス穴部２７に対応する位置に設ける。
【００２３】
ボス４１、ボス穴部２７の形状は、円筒状及び円柱状に限られない。さらに、ボス穴部２７をフレネルレンズ４０側に設け、ボス４１を中間筐体２０側に設けてもよい。
【００２４】
本発明について上記実施形態を参照しつつ説明したが、本発明は上記実施例に限定されるものではなく、改良の目的または本発明の思想の範囲内において改良または変更が可能である。
【００２５】
【発明の効果】
以上説明したように、本発明によると、中間筐体を外側筐体内に配置、及びストロボケースとレンズ部の位置決めを容易に行うことができるため、設計や製造に手間やコストがからない。また、位置ずれを抑えることができるため、省スペースでコンパクトなストロボ装置を提供することができる。さらに、ストロボ装置の組み立てにネジ止めが不要であるため、製造に手間やコストがからないコンパクトなストロボ装置を提供することができる。
【図面の簡単な説明】
【図１】レンズ部及び前カバー部を組み込んでいない状態における本実施形態にかかるストロボ装置の正面図である。
【図２】レンズ部及び前カバー部を組み込んだ状態における本実施形態にかかるストロボ装置のＡ−Ａ側面図である。
【符号の説明】
１０    外側筐体
１６  前面開放部（外側筐体）
２０    中間筐体
２６  前面開放部（中間筐体）
３１    リフレクタ
３２    発光管
４０    フレネルレンズ
２１ａ  ２１ｂ  ２２ａ  ２２ｂ  ２３ａ  ２３ｂ    樹脂ばね
２４ａ  ２４ｂ  ２５ａ  ２５ｂ  ２５ｃ  ２５ｄ    樹脂ばね
【図１】
2004240197.tif 000003
【図２】
2004240197.tif 000004